(57)【要約】【課題】変更のあった部分のみを印字した被印字テープを作製することができ、ラベルの消費を抑制しつつ上貼り用のラベルを容易に作製することができる。【解決手段】印字オブジェクトを配置可能な抜き出し印字区画を、所望の態様でＮ個割り付けたテンプレートを記憶し、着脱手段に装着された収納体における被印字テープの第１幅方向寸法を取得し、取得した第１幅方向寸法とテンプレートに対応づけられた第２幅方向寸法との大小関係を判定し、第１幅方向寸法が第２幅方向寸法よりも小さいと判定した場合に、テンプレートに備えられる抜き出し印字区画に対応づけられた第３幅方向寸法と第１幅方向寸法とに基づき、Ｎ個以下の抜き出し印字区画を用いた印字が実行可能か否かを判定し、実行可能と判定された場合に、被印字テープに対して抜き出し印字区画に配置された印字オブジェクトを用いた印字を形成する。【選択図】図１１
2019177626.tif 000002
【特許請求の範囲】
【請求項１】
被印字テープの収納体を着脱可能な着脱手段と、
前記着脱手段に装着された前記収納体から供給される前記被印字テープを搬送する搬送手段と、
前記搬送手段により搬送される前記被印字テープに印字を行う印字手段と、
制御手段と、
記憶手段と、
を有する印刷装置であって、
前記記憶手段は、
印字オブジェクトを特定の書式にて配置可能な抜き出し印字区画を、所望の態様でＮ個（Ｎ：自然数）割り付けたテンプレートを記憶しており、
前記制御手段は、
前記着脱手段に装着された前記収納体における前記被印字テープの第１幅方向寸法を取得する幅取得処理；
前記幅取得処理で取得された前記第１幅方向寸法と、前記記憶手段に記憶されたテンプレートに対応づけられた第２幅方向寸法との、大小関係を判定する幅判定処理；
前記幅判定処理で前記第１幅方向寸法が前記第２幅方向寸法よりも小さいと判定された場合に、前記テンプレートに備えられる前記抜き出し印字区画に対応づけられた第３幅方向寸法と前記第１幅方向寸法とに基づき、Ｎ個以下の前記抜き出し印字区画を用いた印字が実行可能か否かを判定する第１印字判定処理；
前記第１印字判定処理で前記抜き出し印字区画を用いた印字が実行可能と判定された場合に、前記印字手段及び前記搬送手段を制御し、前記被印字テープに対し、前記抜き出し印字区画に配置された前記印字オブジェクトを用いた印字を形成する第１印字形成処理；
を実行することを特徴とする印刷装置。
【請求項２】
請求項１記載の印刷装置において、
前記制御手段は、さらに、
前記幅判定処理で前記第１幅方向寸法と前記第２幅方向寸法とが同じであると判定された場合に、前記印字手段及び前記搬送手段を制御し、前記被印字テープに対し、Ｎ個の前記抜き出し印字区画を含む前記テンプレートの全体を用いた印字を形成する第２印字形成処理；
を実行することを特徴とする印刷装置。
【請求項３】
請求項１記載の印刷装置において、
前記制御手段は、さらに、
前記テンプレートに備えられる前記抜き出し印字区画にテープ幅方向にＮ個以下の隣接した前記抜き出し印字区画が存在し、前記幅判定処理で前記第１幅方向寸法が前記第２幅方向寸法よりも小さいと判定された場合に、前記テンプレートに備えられる前記隣接した抜き出し印字区画に対応づけられた第４幅方向寸法と前記第１幅方向寸法とに基づき、Ｎ個以下の隣接した前記抜き出し印字区画を用いた印字が実行可能か否かを判定する第２印字判定処理；
前記第２印字判定処理で前記隣接した抜き出し印字区画を用いた印字が実行可能と判定された場合に、前記印字手段及び前記搬送手段を制御し、前記被印字テープに対し、前記隣接した抜き出し印字区画に配置された前記印字オブジェクトを用いた印字を形成する第３印字形成処理；
を実行することを特徴とする印刷装置。
【請求項４】
請求項１記載の印刷装置において、
前記制御手段は、さらに、
前記幅判定処理で前記第１幅方向寸法が前記第２幅方向寸法よりも小さいと判定され、かつ、前記テンプレートに備えられる前記抜き出し印字区画に対応づけられた第３幅方向寸法が前記第１幅方向寸法よりも小さいと判定された場合に、前記テンプレートに備えられる前記抜き出し印字区画に対応づけられた第３幅方向寸法と前記第１幅方向寸法とに基づき、Ｎ個以下の前記抜き出し印字区画を用いた印字が実行可能か否かを判定する第３印字判定処理；
前記第３印字判定処理で前記抜き出し印字区画を用いた印字が実行可能と判定された場合に、前記印字手段及び前記搬送手段を制御し、前記被印字テープに対し、前記抜き出し印字区画に配置された前記印字オブジェクトを用いた印字を形成する第４印字形成処理；
を実行することを特徴とする印刷装置。
【請求項５】
請求項１記載の印刷装置において、
前記制御手段は、さらに、
前記幅判定処理で前記第１幅方向寸法が前記第２幅方向寸法よりも小さいと判定され、かつ、前記テンプレートに備えられる前記抜き出し印字区画に対応づけられた第３幅方向寸法が前記第１幅方向寸法よりも小さいと判定された場合に、前記テンプレートに備えられる前記抜き出し印字区画に対応づけられた第３幅方向寸法と前記第１幅方向寸法とに基づき、Ｎ個以下の前記抜き出し印字区画のうち、他の前記抜き出し印字区画と重ならない印字が実行可能か否かを判定する第４印字判定処理；
前記第４印字判定処理で前記抜き出し印字区画を用いた印字が実行可能と判定された場合に、前記印字手段及び前記搬送手段を制御し、前記被印字テープに対し、前記抜き出し印字区画に配置された前記印字オブジェクトを用いた印字を形成する第５印字形成処理；
を実行することを特徴とする印刷装置。
【請求項６】
請求項１記載の印刷装置において、
前記制御手段は、さらに、
前記幅判定処理で前記第１幅方向寸法が前記第２幅方向寸法と同じであると判定された場合に、Ｎ個の前記抜き出し印字区画に一致する枠線印字を形成する第６印字形成処理；
を実行することを特徴とする印刷装置。
【請求項７】
請求項１乃至請求項６のいずれか１項記載の印刷装置において、
前記制御手段は、
前記記憶手段に、前記Ｎ個の抜き出し印字区画の何れかと同一の区画の前記印字オブジェクトが記憶されている場合には、当該印字オブジェクトを前記テンプレートの前記抜き出し印字区画用の印字オブジェクトとして利用可能である、
ことを特徴とする印刷装置。
【発明の詳細な説明】
【技術分野】
【０００１】
本発明は、印刷装置に係わり、特に、ラベルを作製するためのテンプレートを備えた印刷装置に関する。
【背景技術】
【０００２】
名札等の定型ラベルの作製を可能とするラベルプリンタ等の印刷装置が知られている。この印刷装置は、予めテンプレート記憶手段に記憶した複数種類のテンプレートから任意のテンプレートを選択する操作操作と、印刷データの入力操作と、を受け付けることによって、選択されたテンプレートの割り当て区画に入力された印刷データを挿入する用に構成したものである（例えば、特許文献１参照）。
【０００３】
これにより、例えば、１枚の印字テープに、横書きの「小学校名」、縦書きの「学年組」、縦書きの「氏名」、といった複数の割り当て区画に対する印刷を施したラベルを作製とすることができる。
【先行技術文献】
【特許文献】
【０００４】
【特許文献１】特開平０７−１５６４９７号公報
【発明の概要】
【発明が解決しようとする課題】
【０００５】
しかしながら、このようなテンプレートを用いた印刷では、対象とするテープ幅が決まっており、内容の一部（例えば、「学年組」）に変更があった場合、全て印刷しなおすか、変更箇所にのみ上から新たなラベルを貼り変える（上貼り）する等の対応を行う必要がある。
【０００６】
この際、全て印刷をしなおす場合には、印刷内容の全てを印刷しなおすため、ラベルやインク等の消費が大きいという問題が生じていた。一方、変更箇所にのみ新たなラベルを上貼りする場合は、変更箇所と一致するテープ幅や書式の選択等の調整が必要となり、手間を要するうえ、失敗によりラベルに無駄が発生するなどの新たな問題が発生する可能性がある。
【０００７】
本発明の目的は、ラベルの消費を抑制しつつ上貼り用のラベルを容易に作製することができる印刷装置を提供することにある。
【課題を解決するための手段】
【０００８】
上記目的を達成するために、本願発明は、被印字テープの収納体を着脱可能な着脱手段と、前記着脱手段に装着された前記収納体から供給される前記被印字テープを搬送する搬送手段と、前記搬送手段により搬送される前記被印字テープに印字を行う印字手段と、制御手段と、記憶手段と、を有する印刷装置であって、前記記憶手段は、印字オブジェクトを特定の書式にて配置可能な抜き出し印字区画を、所望の態様でＮ個割り付けたテンプレートを記憶しており、前記制御手段は、前記着脱手段に装着された前記収納体における前記被印字テープの第１幅方向寸法を取得する幅取得処理；前記幅取得処理で取得された前記第１幅方向寸法と、前記記憶手段に記憶されたテンプレートに対応づけられた第２幅方向寸法との、大小関係を判定する幅判定処理；前記幅判定処理で前記第１幅方向寸法が前記第２幅方向寸法よりも小さいと判定された場合に、前記テンプレートに備えられる前記抜き出し印字区画に対応づけられた第３幅方向寸法と前記第１幅方向寸法とに基づき、Ｎ個以下の前記抜き出し印字区画を用いた印字が実行可能か否かを判定する第１印字判定処理；前記第１印字判定処理で前記抜き出し印字区画を用いた印字が実行可能と判定された場合に、前記印字手段及び前記搬送手段を制御し、前記被印字テープに対し、前記抜き出し印字区画に配置された前記印字オブジェクトを用いた印字を形成する第１印字形成処理；を実行する。
【０００９】
本願発明の印刷装置は、着脱手段に被印字テープの収納体が装着され、搬送手段によって着脱手段に装着された収納体から供給される被印字テープが搬送され、その搬送過程において印字手段により被印字テープに印字が行われる。この際、これらの駆動系の制御は、記憶手段に予めインストールしたアプリケーションによって制御手段が制御する。
【００１０】
一方、記憶手段には、被印字テープに印字を行う際に、所望の印字結果を容易に得られるように、被印字テープのサイズ等に応じて文字等の配置（レイアウト）を規定する多数のテンプレートに関するデータが格納されている。
【００１１】
これにより、例えば、ユーザは、パーソナルコンピュータ等の操作端末や印刷装置に配置した表示画面と操作部とを用いて、テンプレートを用いた所望の印字用データを作製することができる。
【００１２】
さらに、記憶手段には、例えば、印字可能（適用可能）な被印字テープの幅方向のサイズが予め決まっている（例えば、６ｍｍ，９ｍｍ，１２ｍｍ，１８ｍｍ，２４ｍｍ，３６ｍｍの６種類）ため、その幅が広くなるほど、書式が異なる複数に区画したレイアウトを有するテンプレートを記憶することができる。
【００１３】
ここで、書式が異なるとは、フォント種類やサイズ、或いは、縦書きと横書きとが混在する、等を想定することができる。具体的には、横書きの「火元責任者」の下に縦書き２行でフォントサイズを同じとした主副２名の「氏名」をレイアウトした標示、或いは、横書きの「学校名」の下に縦書き２行でフォントサイズを異ならせた「学年組」と「氏名」をレイアウトした名札、等のバラエティに富んだテンプレートを記憶している。
【００１４】
このように、記憶手段は、印字オブジェクトを特定の書式（縦書き横書き・各種フォント・装飾有無等）にて配置可能な抜き出し印字区画を、所望の態様でＮ個（Ｎ：自然数）割り付けたテンプレートを記憶している。
【００１５】
ところで、上述した、火元責任者や学年組等は、担当替えや進級等によって変わる場合がある。この際、例えば、「火元責任者」と一方の「氏名」は変更がなく、他方の「氏名」のみが変更される場合、或いは、「学校名」や「氏名」は変更がなく、「学年組」のみが変更される場合に、新たに全ての印字を幅広な被印字テープに行ったのでは、被印字テープ等の消耗品を無駄に使ってしまう。
【００１６】
そこで、本発明は、所有（想定）しているテープを用いて、先に印刷したテープの印刷内容を変更したい（貼り替えたい）場合の対策であって、印刷するテンプレート上の印刷の入力ブロック幅を、想定するテープ幅より少し小さめに設定して印刷することで、先に印刷したテープの印刷を変更したい時に、該当の入力ブロック部分を想定するテープで完全に覆うように、下の文字がはみ出すことなく整然と貼り替えることを可能とする。
【００１７】
すなわち、制御手段は、幅取得処理にて、着脱手段に装着された収納体における被印字テープの第１幅方向寸法（例えば、１２ｍｍ）を取得する。次に、制御手段は、幅判定処理にて、幅取得処理で取得された第１幅方向寸法（例えば、１２ｍｍ）と、記憶手段に記憶されたテンプレートに対応づけられた第２幅方向寸法（例えば、３６ｍｍ）との、大小関係を判定する。
【００１８】
例えば、制御手段は、テンプレートの最大幅（第２幅寸法：３６ｍｍ）に対して、着脱手段に現在装着されている被印字テープのテープ幅（第１幅寸法：１２ｍｍ）を検出し、その大小関係を判定するものである。
【００１９】
そして、制御手段は、第１印字判定処理にて、第１幅方向寸法（例えば、１２ｍｍ）が第２幅方向寸法（例えば、３６ｍｍ）よりも小さいと判定された場合に、テンプレートに備えられる抜き出し印字区画に対応づけられた第３幅方向寸法（例えば、１２ｍｍ，９ｍｍ）と第１幅方向寸法（例えば、１２ｍｍ）とに基づき、Ｎ個以下の抜き出し印字区画を用いた印字が実行可能か否かを判定する。
【００２０】
すなわち、制御手段は、テンプレートに対応した複数（Ｎ個）の抜き出し印字区画に対して、その各抜き出し印字区画のテープ幅方向の寸法、すなわち、第３幅方向寸法（例えば、１２ｍｍ，９ｍｍ）の印字が可能であるか否かを判定する。
【００２１】
例えば、上述した標示における他方の「氏名」や、名札における「学年組」が割り当てられた抜き出し印字区画のみを、着脱手段に装着した収納体の被印字テープで印字が可能であるか否かを判定する。
【００２２】
そして、制御手段は、第１印字判定処理で抜き出し印字区画を用いた印字が実行可能と判定された場合には、第１印字形成処理にて、印字手段及び搬送手段を制御し、被印字テープに対し、抜き出し印字区画に配置された印字オブジェクトを用いた印字を形成するよう、駆動系の制御を実行する。
【００２３】
これにより、変更のあった部分のみを印字した被印字テープを作製することができ、ラベルの消費を抑制しつつ上貼り用のラベルを容易に作製することができる。
【００２４】
このように、予め用意された複数種類のテンプレートから任意の一つを利用した印刷を可能とする印刷装置であって、一つのテンプレート内に配置された複数の抜き出し印字区画が存在する場合に、そのうちの一つ以上の抜き出し印字区画に対応したテープ幅の小さいテンプレートを利用した上貼り用のラベルを容易に作製することができる。したがって、既に印刷された後のラベルに対して、その一部分のみを変更したい場合、様式違いによる失敗のない上貼り用のラベルを容易に作製することができる。
【発明の効果】
【００２５】
本発明によれば、ラベルの消費を抑制しつつ上貼り用のラベルを容易に作製することができる。
【図面の簡単な説明】
【００２６】
【図１】本発明の一実施形態の印刷装置を含むテンプレート処理システムの全体構成を表すシステム構成図である。
【図２】テンプレート処理システムの詳細機能を表すブロック図である。
【図３】テンプレートとラベルとの対応関係を表す、（Ａ）は標示ラベルの場合の説明図、（Ｂ）は名札レベルの場合の説明図、である。
【図４】抜き出し印字区画のサイズ認定の説明図である。
【図５】標示ラベルの一部を変更する場合を表す、（Ａ）は一つの抜き出し印字区画分の上貼り用のラベルの説明図、（Ｂ）は上貼り用のラベルを標示ラベルの一部に上貼りした状態の説明図、である。
【図６】名札ラベルの一部を変更する場合を表す、（Ａ）は一つの抜き出し印字区画分の上貼り用のラベルの説明図、（Ｂ）は上貼り用のラベルを名札ラベルの一部に上貼りした状態の説明図、である。
【図７】名札ラベルの一部を変更する場合を表す、（Ａ）は隣接した二つの抜き出し印字区画分の上貼り用のラベルの説明図、（Ｂ）は上貼り用のラベルを名札ラベルの一部に上貼りした状態の説明図、である。
【図８】標示ラベルの一部を変更する場合を表す、（Ａ）は余白を挟んで隣接した二つの抜き出し印字区画と入力ブロックとの関係を示す説明図、（Ｂ）は隣接した二つの抜き出し印字区画分の上貼り用のラベルの説明図、（Ｃ）は上貼り用のラベルを標示ラベルの一部に上貼りした状態の説明図、である。
【図９】標示ラベルの一部を変更する場合を表す、（Ａ）は余白を挟んで隣接した二つの抜き出し印字区画と入力ブロックとの関係を示す説明図、（Ｂ）は隣接した二つの抜き出し印字区画分の上貼り用のラベルの説明図、（Ｃ）は上貼り用のラベルを標示ラベルの一部に上貼りした状態の説明図、である。
【図１０】標示ラベルの一部を変更する場合を表す、（Ａ）は抜き出し印字区画と余白との関係を示す説明図、（Ｂ）は余白を含む抜き出し印字区画分の上貼り用のラベルの説明図、（Ｃ）は上貼り用のラベルを標示ラベルの一部に上貼りした状態の説明図、である。
【図１１】印刷装置のＣＰＵが実行するルーチンのフロー図である。
【発明を実施するための形態】
【００２７】
以下、本発明の一実施形態を図面を参照しつつ説明する。
【００２８】
＜テンプレート処理システムの構成＞
まず、図１を参照しつつ、本実施形態の印刷装置を含むテンプレート処理システムの全体構成を説明する。
【００２９】
図１に示すように、テンプレート処理システム１は、操作端末２と、ラベルプリンタ等の印刷装置３と、を有する。操作端末２と印刷装置３は、優先通信回線又はインターネット回線を含む無線通信回線等のネットワークＮＷを介して相互通信可能に接続される。ここで、無線通信回線の場合には、操作端末２と印刷装置３とは、例えば、Ｗｉ−Ｆｉ（登録商標）やＢｌｕｅｔｏｏｔｈ（登録商標）等の無線通信方式により相互通信可能に接続される。なお、操作端末２と印刷装置３とは、ＵＳＢケーブル等の有線通信方式により相互通信可能に接続されてもよい。
【００３０】
操作端末２は、例えば、キーボードやマウス（図示せず）等の操作部２１と、液晶表示画面等の表示部２２と、を備える。なお、操作端末２は、図１に示したように、ノート型のパーソナルコンピュータのほか、例えば、スマートフォン、フィーチャーフォン、タブレット型端末、デスクトップ型のパーソナルコンピュータ等でもよい。また、表示部２２は操作部２１の一部機能を備えるタッチパネル方式のものを採用してもよい。
【００３１】
印刷装置３は、メインスイッチ等の操作部３１を備え、操作端末２との間でネットワークＮＷを通じて各種の情報や指示信号を送受し、操作端末２を用いたユーザの操作に基づき、所望のテキストや画像等を印字してラベルＬを作製する。
【００３２】
次に、図２を参照しつつ、印刷装置３を含むテンプレート処理システム１の詳細機能を説明する。
【００３３】
図２に示すように、操作端末２は、ＣＰＵ２３と、ＲＡＭ及びＲＯＭ等からなるメモリ２４と、ネットワークＮＷを用いた印刷装置３との相互通信を実現するための送受信機能を備えた通信制御部２５と、フラッシュメモリ等の大容量記憶装置２６と、を有する。
【００３４】
ＣＰＵ２３は、メモリ２４のＲＡＭの一時記憶機能を利用しつつ、メモリ２４のＲＯＭや大容量記憶装置２６に記憶された各種プログラムを実行することで、操作端末２の制御を行う。したがって、メモリ２４及び大容量記憶装置２６には、操作端末２がコンピュータとしての機能を実現するオペレーティングシステムを含むアプリケーション並びに印刷装置３を用いた印刷機能を実行するためのドライバやテキストエディタ等のアプリケーションを記憶している。
【００３５】
通信制御部２５は、上述した通信方式に応じて、印刷装置３との間で行われる通信の制御を行う。
【００３６】
大容量記憶装置２６は、ＣＰＵ２３に対し、後述の図１１に示すフローチャートの各手順を実行させるためのテンプレート処理プログラム並びに各種テンプレート（厳密にはテンプレート用のデータ）を記憶している。なお、大容量記憶装置２６には、本体メモリ（内部ストレージ）に限られず、ＳＤメモリカード等の外部メモリを用いてもよい。また、テンプレート処理プログラムの少なくとも一部処理機能プログラム並びにテンプレートは、メモリ２４のＲＯＭに予め記憶していてもよいし、印刷装置３の後述するメモリ３３に記憶（又は併用）してもよい。
【００３７】
印刷装置３は、制御手段としてのＣＰＵ３２と、記憶手段としてのＲＡＭ及びＲＯＭ等からなるメモリ３３と、通信制御部３４と、センサ３５と、着脱手段としてのテープロールホルダ部３６と、搬送手段としての搬送装置３７と、印字手段としての印字ヘッド３８と、カッタ３９と、を有する。
【００３８】
ＣＰＵ３２は、メモリ３３のＲＡＭの一時記憶機能を利用しつつ、ＲＯＭに予め記憶された各種プログラムを実行することで、印刷装置３の全体の駆動制御等を実行する。
【００３９】
メモリ３３のＲＡＭには、操作端末２から受信される印字データが一時記憶される。なお、上述したように、メモリ３３のＲＯＭには、テンプレート処理プログラムの少なくとも一部処理機能プログラム並びにテンプレートを記憶してもよい。この場合、印刷装置３の操作部３１にキーボード等の文字入力機能を有し、表示画面等を備えていれば、操作端末２は無くてもよい。また、メモリ３３のＲＯＭにテンプレート処理プログラム並びにテンプレートを記憶した場合には、操作端末２の記憶装置の一部として、これらの機能及びデータを操作端末２で利用可能としてもよい。以下の説明においては、メモリ３３のＲＯＭにテンプレート処理プログラム並びにテンプレートを記憶しているものとして説明する。ここでのメモリ３３に記憶したテンプレートには、印字オブジェクト（テキスト文字ｏｒシンボルｏｒ画像）を特定の書式（縦書き横書き・各種フォント・装飾有無等）にて配置可能な抜き出し印字区画を、所望の態様でＮ個（Ｎ：自然数）割り付けたテンプレートを含むものとする。
【００４０】
通信制御部３４は、上述した通信方式に応じて、操作端末２との間で行われる通信の制御を行う。
【００４１】
センサ３５は、テープロールホルダ部３６に装着された被印字テープＴのテープ幅を検出する。なお、センサ３５は、後述するテープロール４０又はカートリッジの種類を検出することで被印字テープＴのテープ幅を検出するものであってもよい。なお、センサ３５は、テープロールホルダ部３６に装着されたテープロール４０（又はカートリッジ）が装着されていない、又は、テープロールホルダ部３６に装着されたテープロール４０（又はカートリッジ）の被印字テープＴが無くなった、ことを検出するエンプティセンサを兼用してもよい。
【００４２】
テープロールホルダ部３６には、被印字テープＴを巻回した収納体としてのテープロール４０（本来は渦巻き状であるが簡略化して同心円で図示）を着脱可能に装着することができる。なお、テープロール４０を備えたカートリッジを着脱可能としてもよい。テープロールホルダ部３６には、例えば、ラミネートテープを対象とした場合、被印字テープＴのテープ幅が６ｍｍ，９ｍｍ，１２ｍｍ，１８ｍｍ，２４ｍｍ，３６ｍｍの６種類に対応したテープロール４０が装着されるようになっている。
【００４３】
搬送装置３７は、印字ヘッド３８に対向して設けられており、テープロール４０から繰り出される被印字テープＴを搬送する。なお、搬送装置３７は、例えば、カッタ３９で切断したラベルＬを排出するためのローラ（図示せず）等を含ませることができる。
【００４４】
印字ヘッド３８は、搬送装置３７により搬送される被印字テープＴに印字形成を行う。
【００４５】
カッタ３９は、例えば、被印字テープＴを挟む表裏に配置され、少なくとも一方を可動刃として印字後の被印字テープＴを所定の長さに切断（フルカット又はハーフカットの少なくとも何れか一方）してラベルＬとする。
【００４６】
＜テンプレート＞
上述のように操作端末２を用いたユーザの操作（例えば、エディタ操作）に基づき印刷装置３でラベルＬを作製するとき、ラベルＬに対する印字内容をユーザが全てマニュアルで設定するのは、非常に煩雑である。そこで、被印字テープＴのテープ幅等に応じて所定のレイアウトを可能とした印字オブジェクト（詳細は後述）を所定の態様（フォントの種類やサイズ、縦書き・横書き等）で割り付けて構成されるテンプレートが複数用意され、操作端末２の大容量記憶装置２６又は印刷装置３のメモリ３３に記憶されている。
【００４７】
ユーザが操作端末２において適宜のタイミングで適宜の操作を行うと、操作端末２の表示部２２に複数のテンプレート画像が表示される。テンプレートは、ラミネートテープを対象とした場合、テープ幅が６ｍｍ，９ｍｍ，１２ｍｍ，１８ｍｍ，２４ｍｍ，３６ｍｍの６種類に対して、最大３６ｍｍの被印字テープＴを用いた場合、他の６〜２４ｍｍの各種被印字テープを組み合わせることによって、ｎ個の抜き出し印字区画を設けたものを含む。
【００４８】
ユーザは、表示部２２に表示された複数のテンプレート画像から、意図する印字態様に適したテンプレート画像を選択したうえで、そのテンプレート画像に対応するテンプレートに含ませる（印字する）印字オブジェクトの内容（テキストや画像等。詳細は後述）等を適宜編集することで、容易に所望のラベルＬを作製することができる。
【００４９】
＜課題＞
通常、ユーザによるテンプレートの選択時には、表示部２２に複数のテンプレート画像が一覧表示される。近年、バラエティに富んだテンプレートが作製されつつあり、一つのラベルＬの複数箇所に印字することができるようにもなっている。
【００５０】
例えば、印刷装置３は、テープロールホルダ部３６に被印字テープＴのテープロール４０が装着され、搬送装置３７によってテープロールホルダ部３６に装着されたテープロール４０から供給される被印字テープＴが搬送され、その搬送過程において印字ヘッド３８により被印字テープＴに印字が行われる。この際、これらの駆動系の制御は、メモリ３３に予めインストールしたアプリケーションによってＣＰＵ３２が制御する。
【００５１】
一方、メモリ３３には、被印字テープＴに印字を行う際に、所望の印字結果を容易に得られるように、被印字テープＴのサイズ等に応じて文字等の配置（レイアウト）を規定する多数のテンプレートに関するデータが格納されている。
【００５２】
これにより、例えば、ユーザは、パーソナルコンピュータ等の操作端末や印刷装置３に配置した表示画面と操作部とを用いて、テンプレートを用いた所望の印字用データを作製することができる。
【００５３】
さらに、メモリ３３には、例えば、印字可能（適用可能）な被印字テープＴの幅方向のサイズ（以下、「テープ幅」と称する。）が予め決まっている（例えば、６ｍｍ，９ｍｍ，１２ｍｍ，１８ｍｍ，２４ｍｍ，３６ｍｍの６種類）ため、そのテープ幅に応じて、例えば、図３に示すように、書式が異なる複数の抜き出し印字区画ＰＥ（例えば、ＰＥ１〜ＰＥ３，ＰＥ４〜ＰＥ６）をレイアウト（配置）したテンプレートＰを記憶することができる。ここで、書式が異なるとは、フォント種類やサイズ、或いは、縦書きと横書きとが混在する、等を想定することができる。なお、図示の便宜上、以下の説明ではテンプレートＰとラベルＬとは同じものとして説明する。
【００５４】
具体的には、図３（Ａ）に示すように、抜き出し印字区画ＰＥ１に横書きの印字オブジェクト「火元責任者」を印字するとともに、その下に隣接する２つの抜き出し印字区画ＰＥ２，ＰＥ３の各々に縦書きでフォントサイズを同じとした主副２名の印字オブジェクト「責任者名（氏名）」を印字するためのレイアウトとした標示ラベルＬ、を作製するためのテンプレートＰとすることができる。
【００５５】
また、図３（Ｂ）に示すように、抜き出し印字区画ＰＥ４に横書きの印字オブジェクト「学校名」を印字するとともに、その下に隣接する２つの抜き出し印字区画ＰＥ５，ＰＥ６の各々に縦書きでフォントサイズを異ならせた印字オブジェクト「学年組」と「氏名」とを印字するためのレイアウトとした名札ラベルＬ、を作製するためのテンプレートＰとすることができる。
【００５６】
このように、メモリ３３は、印字オブジェクトを特定の書式（縦書き横書き・各種フォント・装飾有無等）にて配置可能な抜き出し印字区画ＰＥを、所望の態様でＮ個（Ｎ：自然数）割り付けたテンプレートを記憶している。
【００５７】
抜き出し印字区画ＰＥは、一つのテンプレートＰの全体に対してＮ個配置しているとともに、それぞれが独立したテンプレート用印字区画として割り当てることができる。すなわち、抜き出し印字区画ＰＥは、単体で所定のテープ幅用のテンプレートとして兼用することができる。このため、抜き出し印字区画ＰＥは、例えば、図４に示すように、被印字テープＴの搬送方向を基準として、搬送方向下流側（印字開始側）の左上ＬＵと左下ＬＬ、並びに、搬送方向上流側（印字終了側）の右上ＲＵと右下ＲＬのＸＹ座標を被印字テープＴのテープ幅（例えば、１２ｍｍ）を基準として有している。また、各抜き出し印字区画ＰＥには、その全体サイズに対して小さい印字オブジェクト用の入力ブロックＢＥが設定されている。入力ブロックＢＥは、抜き出し印字区画ＰＥに対する最大印字可能範囲であり、その四隅にＸＹ座標のポイントＢＬＵ，ＢＬＬ，ＢＲＵ，ＢＲＬが定められている。
【００５８】
このように、メモリ３３に、Ｎ個の抜き出し印字区画の何れかと同一の区画の印字オブジェクトが記憶されている場合には、当該印字オブジェクトをテンプレートＰの抜き出し印字区画ＰＥ用の印字オブジェクトとして利用可能である。
【００５９】
したがって、オリジナルのラベルに対して一部を修正し、さらに他の一部を変更するような場合、２か所の上貼りとするよりも、新たにラベル全体を印刷しなおす方が汚れ等の見栄えを解消する場合がある。また、テンプレートＰのレイアウトが異なるものの、抜き出し印字区画ＰＥには同一の印字オブジェクトが割り当てられるという場合も想定される。
【００６０】
そこで、既に抜き出し印字区画ＰＥに割り当て可能な印字オブジェクトがメモリ３３に記憶されている場合、テンプレートＰの印字オブジェクトとして援用することにより、入力の手間を省くことができる。
【００６１】
なお、ポイントＰＬＵ，ＰＬＬ，ＲＲＵ，ＰＲＬの位置は、上記最大印字可能範囲に対して小さくなる方向に変動可能である。すなわち、印字オブジェクトのフォントサイズや文字数、或いは、右寄せ・左寄せ・中央寄せ（センタリング）・均等割付・縦書き・横書き等によって変動可能である。また、最大印字可能範囲を上限として、文字数や行数はフォントサイズ等によって任意である。
【００６２】
ところで、上述した、標示ラベルＬや名札ラベルＬの場合、火元責任者や学年組等は、担当替えや進級等によって変わる場合がある。この際、例えば、「火元責任者」と一方の「氏名」は変更がなく、他方の「氏名」のみが変更される場合、或いは、「学校名」や「氏名」は変更がなく、「学年組」のみが変更される場合に、新たに全ての印字を幅広な被印字テープＴに行ったのでは、被印字テープＴ等の消耗品を無駄に使ってしまうという懸案があった。
【００６３】
＜本実施形態の特徴＞
本実施形態の特徴は、印刷装置３は、所有（想定〕している被印字テープＴを用いて、先に印刷したラベルＬの印刷内容を変更したい（貼り替えたい）場合に、被印字テープＴの消費を抑制しつつ、最小限の新たな上貼り用のラベルＬを作製する手法にある。以下、その詳細を説明する。
【００６４】
上述したように、印刷装置３は、被印字テープＴのテープロール４０を着脱可能なテープロールホルダ部３６と、テープロールホルダ部３６に装着されたテープロール４０から供給される被印字テープＴを搬送する搬送装置３７と、搬送装置３７により搬送される被印字テープＴに印字を行う印字ヘッド３８と、ＣＰＵ３２と、印字オブジェクト（テキスト文字ｏｒシンボルｏｒ画像）を特定の書式（縦書き横書き・各種フォント・装飾有無等）にて配置可能な抜き出し印字区画を、所望の態様でＮ個（Ｎ：自然数）割り付けたテンプレートを記憶したメモリ３３と、を有する。
【００６５】
以上のような基本構成を備えた印刷装置３において、ＣＰＵ３２は、テープロールホルダ部３６に装着されたテープロール４０における被印字テープＴの第１幅方向寸法（例えば、１２ｍｍ）を取得する幅取得処理（後述するフロー手順）；幅取得処理で取得された第１幅方向寸法（例えば、１２ｍｍ）と、メモリ３３に記憶されたテンプレートに対応づけられた第２幅方向寸法（例えば、３６ｍｍ）との、大小関係を判定する幅判定処理（後述するフロー手順）；幅判定処理で第１幅方向寸法（例えば、１２ｍｍ）が第２幅方向寸法（例えば、３６ｍｍ）よりも小さいと判定された場合に、テンプレートに備えられる抜き出し印字区画に対応づけられた第３幅方向寸法（例えば、１２ｍｍ，９ｍｍ）と第１幅方向寸法（例えば、１２ｍｍ）とに基づき、Ｎ個以下の抜き出し印字区画を用いた印字が実行可能か否かを判定する第１印字判定処理（後述するフロー手順）；第１印字判定処理で抜き出し印字区画を用いた印字が実行可能と判定された場合に、印字ヘッド３８及び搬送装置３７を制御し、被印字テープＴに対し、抜き出し印字区画に配置された印字オブジェクトを用いた印字を形成する第１印字形成処理（後述するフロー手順）；を実行するものである。
【００６６】
ＣＰＵ３２は、先に印字したラベルＬにおいて、抜き出し印字区画ＰＥの幅よりも少し小さめに設定した入力ブロックＢＥの範囲内に印字オブジェクトを印刷する印字制御を実行する。これにより、先に印刷したラベルＬの一部を変更したいときに、少なくとも、変更対象に該当する抜き出し印字区画ＰＥの入力ブロックＢＥよりもテープ幅の広い被印字テープＴを用いた上貼り用のラベルＬを作製することで、変更前の下の印字オブジェクトが上貼り用のラベルＬからはみ出すことなく整然と上貼りすることができる。
【００６７】
＜上貼り用ラベルの適用例（通常）＞
例えば、ＣＰＵ３２は、ラベルＬ１に対するテンプレートＰの抜き出し印字区画ＰＥ３を利用して、図５（Ａ）に示すように新たな上貼り用のラベルＬ１’を作製する。これにより、ユーザは、図５（Ｂ）に示すように、先に作製したラベルＬ１の一方の「責任者名（氏名：「特許太郎」）に対して、新たに責任者となった「責任者名（氏名：実用花子」）を印字した上貼り用のラベルＬ１’を上貼りすることができる。
【００６８】
同様に、ＣＰＵ３２は、ラベルＬ２に対するテンプレートＰの抜き出し印字区画ＰＥ５を利用して、図６（Ａ）に示すように新たな上貼り用のラベルＬ２’を作製する。これにより、ユーザは、図６（Ｂ）に示すように、先に作製したラベルＬ２の「学年組（「三年一組」）」に対して、進級した新たな「学年組（「四年二組」）」を印字した上貼り用のラベルＬ２’を上貼りすることができる。
【００６９】
＜上貼り用ラベルの適用例（複合１）＞
また、一つの抜き出し印字区画ＰＥを対象とする場合に限られない。例えば、図３（Ｂ）に示した名札ラベルＬ２の場合、抜き出し印字区画ＰＥ５（例えば、６ｍｍ）と抜き出し印字区画ＰＥ６（例えば、１２ｍｍ）とは余白（例えば、６ｍｍ）を挟んで隣接関係にある。
【００７０】
ここで、例えば、学年の進級と同時に氏名が薄くなった（或いは、ひらがなから漢字に替える）などのように、２箇所の抜き出し印字区画ＰＥ５，ＰＥ６を同時に変更したいという場合もある。
【００７１】
そこで、このような場合に、ＣＰＵ３２は、余白を含む抜き出し印字区画ＰＥ５と抜き出し印字区画ＰＥ６とは、テープ幅２４ｍｍを有する被印字テープＴであれば、図７（Ａ）に示すように、同時に変更後の２つの印字オブジェクトを印字した上貼り用のラベルＬ３’を作製することができる。これにより、ユーザは、図７（Ｂ）に示すように、先に作製したラベルＬ２の「学年組（「三年一組」）」及び「氏名」に対して、進級した新たな「学年組（「四年二組」）」と「氏名」とを印字した上貼り用のラベルＬ３’を上貼りすることができる。
【００７２】
＜上貼り用ラベルの適用例（複合２）＞
また、例えば、図８（Ａ）に示すように、隣接する２つの抜き出し印字区画ＰＥ２，ＰＥ３のテープ幅がそれぞれ１２ｍｍであり、その間に余白が存在していた場合、テープ幅２４ｍｍの被印字テープＴを用いた印字を行うことができない。
【００７３】
そこで、このような場合であっても、ＣＰＵ３２は、隣接する抜き出し印字区画ＰＥ２，ＰＥ３の各入力ブロックＢＥ２，ＢＥ３の最大幅が被印字テープＴのテープ幅以下（例えば、２４ｍｍ以下）であれば、２つの抜き出し印字区画ＰＥ２，ＰＥ３を含む印字オブジェクトの印刷を実行し、図８（Ｂ）に示すように、１枚の上貼り用のラベルＬ４’を作製することができる。これにより、ユーザは、図５（Ｂ）に示すように、先に作製したラベルＬ１の２名の「責任者名（氏名：「発明二郎」「特許太郎」）に対して、新たに主副の責任者となった「責任者名（氏名：「特許太郎」「実用花子」）を印字した上貼り用のラベルＬ４’を上貼りすることができる。
【００７４】
＜上貼り用ラベルの適用例（複合３）＞
また、例えば、図９（Ａ）に示すように、先のラベルＬ３の隣接する２つの抜き出し印字区画のテープ幅がそれぞれ１２ｍｍであり、その間に余白が存在していた場合、テープ幅２４ｍｍの被印字テープＴを用いた印字を行うことができない。
【００７５】
そこで、このような場合であっても、ＣＰＵ３２は、隣接方向と直行する方向におけるテープ幅、すなわち、抜き出し印字区画のテープ長さ方向の寸法が、被印字テープＴのテープ幅以下（例えば、２４ｍｍ以下）であれば、２つの抜き出し印字区画を含む印字オブジェクトの印刷を実行し、図９（Ｂ）に示すように、１枚の上貼り用のラベルＬ５’を作製することができる。これにより、ユーザは、図９（Ｃ）に示すように、先に作製したラベルＬ３の２名の「責任者名（氏名：「発明二郎」「特許太郎」）に対して、新たに主副の責任者となった「責任者名（氏名：「特許太郎」「実用花子」）を印字した上貼り用のラベルＬ５’を上貼りすることができる。
【００７６】
＜上貼り用ラベルの適用例（代替１）＞
また、例えば、上述した先のラベルＬ１を作製した場合のテンプレートＰでは、抜き出し印字区画ＰＥ１に対応したテープ幅９ｍｍの「火元責任者」と、抜き出し印字区画ＰＥ２，ＰＥ３に対応したテープ幅１２ｍｍの２名の「氏名」を印字オブジェクトとして印字した場合を示した。ここで、例えば、９ｍｍの被印字テープの在庫がなくなった場合、テープ幅２４ｍｍの被印字テープＴを用いた印字を行うことができない。
【００７７】
そこで、ＣＰＵ３２は、図１０（Ａ）に示すように、抜き出し印字区画ＰＥ１の下方において抜き出し印字区画ＰＥ２，ＰＥ３との間の余白が６ｍｍ以上（例えば、７．５ｍｍ）離れていれば、テープ幅１２ｍｍの被印字テープＴを用いて抜き出し印字区画ＰＥ１に対する印字オブジェクトの印刷を実行し、図１０（Ｂ）に示すように、１枚の上貼り用のラベルＬ６’を作製することができる。これにより、ユーザは、図１０（Ｃ）に示すように、先に作製したラベルＬ１の「火元責任者」に対して、新たに「防災責任者」に変更した上貼り用のラベルＬ６’を上貼りすることができる。なお、このような場合に、「防災責任者」の上貼り用のラベルＬ６’に対する印字オブジェクトの配置は、元の「火元責任者」と同じ配置としてもよいし、上貼り用のラベルＬ６’の全体に対してバランス調整した配置としてもよい。また、例えば、「主」「副」の新たな印字オブジェクトを追加してもよい。
【００７８】
＜制御手順＞
以下、図１１を参照しつつ、上記手法を実現するために、印刷装置３のＣＰＵ３２が実行する制御手順を説明する。図１１において、このフローチャートに示す処理は、ユーザによる印字オブジェクトの変更操作が行われた後に、印刷開始操作が行ったことを契機に開始される。なお、ユーザによる印字オブジェクトの変更操作は、例えば、操作端末２の表示部２２に変更前のテンプレート及び全ての（Ｎ個の）各抜き出し印字区画ＰＥに対応した印字オブジェクトを表示させ、一つ以上（Ｎ個以下）の変更対象の抜き出し印字区画ＰＥに変更後の印字オブジェクトをユーザ入力したものである。
【００７９】
まず、ＣＰＵ３２は、ステップＳ１０において、センサ３５から、テープロールホルダ部３６に装着されたテープロール４０における被印字テープＴの第１幅方向寸法を取得する、幅取得処理を実行する。なお、ＣＰＵ３２は、取得した第１幅方向寸法の寸法データをメモリ３３に一時記憶した後に、ステップＳ２０へと処理を移す。
【００８０】
次に、ＣＰＵ３２は、ステップＳ２０において、ステップＳ１０の幅取得処理で取得した（メモリ３３に記憶した）第１幅方向寸法と、メモリ３３に予め記憶されたテンプレートＰに対応づけられた第２幅方向寸法との、大小関係を判定する幅判定処理を実行する。本実施の形態において、ＣＰＵ３２は、第１幅方向寸法が第２幅方向寸法と同じであるか否か同一幅判定ステップ（ステップＳ２１）と、第１幅方向寸法が第２幅方向寸法よりも小さいか否かの小幅判定ステップ（ステップＳ２２）と、を実行する。
【００８１】
ＣＰＵ３２は、ステップＳ２１の同一幅判定ステップにおいて、第１幅方向寸法が第２幅方向寸法と同じであると判定した場合には、ステップＳ３０へと処理を移す。ＣＰＵ３２は、ステップＳ２１の同一幅判定ステップにおいて、第１幅方向寸法が第２幅方向寸法と同じであると判定しなかった場合には、ステップＳ２２へと処理を移す。
【００８２】
ＣＰＵ３２は、ステップＳ３０において、テープロールホルダ部３６に装着されたテープロール４０における被印字テープＴの第１幅方向寸法（例えば、３６ｍｍ）と、テンプレートＰの第２幅方向寸法（例えば、３６ｍｍ）とが同一であることから、変更した抜き出し印字区画と変更しない抜き出し印字区画とを含む、全ての印字オブジェクトを用いた印字を形成するよう、印字ヘッド３８及び搬送装置３７を制御し、被印字テープＴに対し、Ｎ個の抜き出し印字区画を含むテンプレートＰの全体を用いた印字を形成する第２印字形成処理を実行する。
【００８３】
このように、ステップＳ３０の第２印字形成処理では、例えば、テープロールホルダ部３６に装着された被印字テープＴのテープ幅が元のテンプレートＰと同じである場合、修正（変更）箇所も１か所ではない場合、あるいは、劣化等に伴って新たにプリントアウトしたい（内容の変更有無に関係なく）場合が想定される。
【００８４】
したがって、テープロールホルダ部３６に装着されたテープロール４０の被印字テープＴのテープ幅がテンプレートＰと同じである場合には、元のテンプレートＰを利用し、そのまま或いは修正（変更）してラベルＬを作製することにより、従来の利便性を担保している。
【００８５】
また、ステップＳ３０の第２印字形成処理では、第１幅方向寸法（例えば、３６ｍｍ）が第２幅方向寸法（例えば、３６ｍｍ）と同じであると判定された場合に、Ｎ個の抜き出し印字区画に一致する枠線印字を形成（第６印字形成処理）してもよい。
【００８６】
これにより、テンプレートＰで規定する最大テープ幅と印刷装置３にセットした被印字テープＴのテープ幅とが同じである場合には、のりしろ線を印刷することにより、上貼りし易くすることができる。
【００８７】
一方、ＣＰＵ３２は、ステップ２２の小幅判定ステップにおいて、第１幅方向寸法（例えば、１２ｍｍ）が第２幅方向寸法（例えば、３６ｍｍ）よりも小さいと判定した場合には、ステップＳ４０へと処理を移す。ＣＰＵ３２は、ステップ２２の小幅判定ステップにおいて、第１幅方向寸法が第２幅方向寸法よりも小さいと判定しなかった場合には、ステップＳ２１の同一幅判定ステップで否定され、かつ、ステップＳ２２の小幅判定ステップでも否定されたため、第１幅方向寸法が第２幅方向寸法よりも大きいことから印字実行不可能としてこのルーチンを終了する。なお、ルーチン終了前にエラー報知を行ってもよい。また、このエラー報知と独立又は併用して、テンプレートＰの全体の抜き出し印字区画に含まれる印字オブジェクトを対象として印字を実行してもよい。
【００８８】
ＣＰＵ３２は、ステップＳ４０において、テンプレートＰに備えられる抜き出し印字区画に対応づけられた第３幅方向寸法と第１幅方向寸法とに基づき、Ｎ個以下の抜き出し印字区画を用いた印字が実行可能か否かを判定する印字判定処理を実行する。
【００８９】
本実施の形態において、ＣＰＵ３２は、本ルーチン開始前のユーザによる印字オブジェクトの変更操作について、テンプレートＰに割り当てられた抜き出し印字区画ＰＥの数（Ｎ個）が複数である場合に、変更された印字オブジェクトに対応した抜き出し印字区画ＰＥが一個であるか隣接した複数個（ただし、Ｎ−１以下）であるかによって異なる印字判定処理を実行する。なお、ＣＰＵ３２は、テンプレートＰに割り当てられた抜き出し印字区画ＰＥの数（Ｎ個）が１個である場合には、印字オブジェクトの変更対象と一致するため、ステップＳ３０の処理を実行する。したがって、ステップＳ４０では、ステップＳ４１で変更された印字オブジェクトに対応した抜き出し印字区画ＰＥが複数個中のうちの一個である場合（ステップＳ４１：ＹＥＳ）には、ステップＳ４３の第１印字判定処理、ステップＳ４４，ステップＳ４５の第４印字判定処理、を実行する。また、ステップＳ４１で変更された印字オブジェクトに対応した抜き出し印字区画ＰＥが一個でない場合（ステップＳ４１：ＮＯ）に、その抜き出し印字区画ＰＥが隣接関係にある（ステップＳ４２：ＹＥＳ）ときには、ステップＳ４７の第２印字判定処理を実行する。なお、ステップＳ４２で抜き出し印字区画ＰＥが複数であってかつ隣接関係にない場合（ステップＳ４２：ＮＯ）には、印字実行不可能としてこのルーチンを終了する。
【００９０】
ＣＰＵ３２は、ステップＳ４３の第１印字判定処理において、第１幅方向寸法（例えば、１２ｍｍ）と第３幅方向寸法（例えば、１２ｍｍ）とが同じであるか否かに基づき、抜き出し印字区画を用いた印字が実行可能か否かを判定する。ＣＰＵ３２は、第１幅方向寸法と第３幅方向寸法とが同じであると判定した場合には、ステップＳ５０へと処理を移す。ＣＰＵ３２は、第１幅方向寸法と第３幅方向寸法とが同じであると判定しなかった場合には、ステップＳ４４の第４印字判定処理へと処理を移す。
【００９１】
そして、ＣＰＵ３２は、ステップＳ５０において、印字ヘッド３８及び搬送装置３７を制御し、被印字テープＴに対し、抜き出し印字区画ＰＥに配置された印字オブジェクトを用いた印字を形成するよう、駆動系の制御を実行する（第１印字形成処理）。
【００９２】
これにより、変更のあった部分のみを印字したラベルＬを作成することができ、被印字テープＴの消費を抑制しつつ上貼り用のラベルＬを容易に作成することができる。
【００９３】
ＣＰＵ３２は、ステップＳ４４において、第１幅方向寸法（例えば、１８ｍｍ）が第３幅方向寸法（例えば、１２ｍｍ）よりも大きいか否かを判定する。ＣＰＵ３２は、第１幅方向寸法（例えば、１８ｍｍ）が第３幅方向寸法（例えば、１２ｍｍ）よりも大きいと判定した場合には、ステップＳ４５へと処理を移す。ＣＰＵ３２は、第１幅方向寸法（例えば、１８ｍｍ）が第３幅方向寸法（例えば、１２ｍｍ）よりも大きいと判定しなかった場合には、ステップＳ４３の第１印字判定処理において第１幅方向寸法（例えば、１２ｍｍ）と第３幅方向寸法（例えば、１２ｍｍ）とが同じでないとの否定判定を踏まえ、第１幅方向寸法（例えば、９ｍｍ）が第３幅方向寸法（例えば、１２ｍｍ）よりも小さいことから、印字実行不可能としてこのルーチンを終了する。
【００９４】
ＣＰＵ３２は、ステップＳ４５において、テンプレートＰに配置した抜き出し印字区画ＰＥのうち、印字オブジェクトの変更対象となる抜き出し印字区画ＰＥではない他の抜き出し印字区画と重ならない印字が実行可能か否かに基づき、抜き出し印字区画を用いた印字が実行可能か否かを判定する。ＣＰＵ３２は、抜き出し印字区画を用いた印字が実行可能であると判定した場合には、ステップＳ５０へと処理を移す。ＣＰＵ３２は、抜き出し印字区画を用いた印字が実行可能であると判定しなかった場合には、印字実行不可能としてこのルーチンを終了する。
【００９５】
そして、ＣＰＵ３２は、ステップＳ５０において、印字ヘッド３８及び搬送装置３７を制御し、被印字テープＴに対し、抜き出し印字区画ＰＥに配置された印字オブジェクトを用いた印字を形成するよう、駆動系の制御を実行する（第４印字形成処理）。
【００９６】
これにより、変更のあった部分のみを印字したラベルＬを作成することができ、被印字テープＴの消費を抑制しつつ上貼り用のラベルＬを容易に作成することができる。
【００９７】
すなわち、手持ちの被印字テープＴのテープ幅種類が少ない場合、手元にないテープ幅の被印字テープＴを新たに購入するのは手間と費用とを要する。
【００９８】
そこで、修正（変更）する場所に割り当てられた抜き出し印字区画のテープ幅方向の幅よりも幅広の被印字テープＴを用いたとしても大きな支障が発生しないのであれば、手元にないテープ幅の被印字テープＴを新たに購入する時間と費用とを削減することができる。
【００９９】
このため、テープロールホルダ部３６に装着された被印字テープＴの第１幅方向寸法（例えば、１８ｍｍ）を取得するとともに、取得した第１幅方向寸法（例えば、１８ｍｍ）と第２幅方向寸法（例えば、３６ｍｍ）との大小関係を判定したうえで、第１幅方向寸法（例えば、１８ｍｍ）が第２幅方向寸法（例えば、３６ｍｍ）よりも小さく、かつ、第１幅方向寸法（例えば、１８ｍｍ）が第３幅方向寸法（例えば、１２ｍｍ）よりも大きい場合には、テンプレートＰに備えられる抜き出し印字区画に対応づけられた第３幅方向寸法（例えば、１２ｍｍ）と第１幅方向寸法（例えば、１８ｍｍ）とに基づき、Ｎ個以下の抜き出し印字区画の印字が実行可能か否かを判定する第４印字判定処理を実行し、第４印字判定処理で抜き出し印字区画を用いた印字が実行可能と判定された場合に、印字ヘッド３８及び搬送装置３７を制御し、被印字テープＴに対し、抜き出し印字区画ＰＥに配置された印字オブジェクトを用いた印字を形成（第５印字形成処理）するようにした。
【０１００】
これにより、手元にないテープ幅の被印字テープＴを新たに購入する手間と費用とを省くことができる。なお、上述したステップＳ４５を省いて、ステップＳ４４を第３印字判定処理としてもよい。この場合、上貼り用のラベルＬが、隣接する印字オブジェクトに重なってしまう場合には、ユーザの手作業によってラベルＬの重なる部分を切断することによって利用可能となる。
【０１０１】
一方、ＣＰＵ３２は、ステップＳ４７の第２印字判定処理において、テンプレートＰに備えられる隣接した抜き出し印字区画に対応づけられた第４幅方向寸法を取得したうえで、この第４幅方向寸法（例えば、１２ｍｍ×２＝２４ｍｍ）と第１幅方向寸法（例えば、２４ｍｍ）とに基づき、Ｎ個以下の隣接した抜き出し印字区画を用いた印字が実行可能か否かを判定する。なお、ここでの、第４幅方向寸法は、テンプレートＰによって予め隣接関係にある抜き出し印字区画ＰＥの寸法が定まっている（上述した図７〜図９参照）ため、被印字テープＴのテープ幅をどちらの方向とするのかを含めて容易に算出（又は既知の寸法データとしてメモリ３３に記憶）することができる。ＣＰＵ３２は、Ｎ個以下の隣接した抜き出し印字区画を用いた印字が実行可能であると判定した場合には、ステップＳ５０へと処理を移す。ＣＰＵ３２は、Ｎ個以下の隣接した抜き出し印字区画を用いた印字が実行可能であると判定しなかった場合には、印字実行不可能としてこのルーチンを終了する。
【０１０２】
そして、ＣＰＵ３２は、ステップＳ５０において、印字ヘッド３８及び搬送装置３７を制御し、被印字テープＴに対し、抜き出し印字区画ＰＥに配置された印字オブジェクトを用いた印字を形成するよう、駆動系の制御を実行する（第３印字形成処理）。
【０１０３】
これにより、変更のあった部分のみを印字したラベルＬを作成することができ、被印字テープＴの消費を抑制しつつ上貼り用のラベルＬを容易に作成することができる。
【０１０４】
このように、修正（変更）する内容が複数個所である場合に、その修正箇所に対応するテンプレートＰ上の抜き出し印字区画ＰＥが隣接したものである場合、幅狭の被印字テープＴを用いて別々に印字をしかつ上貼りするのは手間である。
【０１０５】
そこで、修正する内容がテンプレートＰ上で隣接する関係にあれば、その隣接する抜き出し印字区画ＰＥを加えた幅が印刷装置３にセットした被印字テープＴのテープ幅以下（好ましくは隣接する余白を含む）であれば、１枚の被印字テープＴに同時に印字を行うことにより、印字及び上貼りの手間を削減することができる。
【０１０６】
このため、テープロールホルダ部３６に装着された被印字テープＴの第１幅方向寸法（例えば、２４ｍｍ）を取得し、その第１幅方向寸法（例えば、２４ｍｍ）とテンプレートＰに対応づけられた第２幅方向寸法（例えば、３６ｍｍ）との大小関係を判定したうえで、隣接した抜き出し印字区画に対応づけられた第４幅方向寸法（例えば、１２ｍｍ×２＝２４ｍｍ）と第１幅方向寸法（例えば、２４ｍｍ）とに基づき隣接した抜き出し印字区画を用いた印字が実行可能であれば、印字ヘッド３８及び搬送装置３７を制御し、第１幅寸法の被印字テープＴに対し、隣接した抜き出し印字区画ＰＥに配置した印字オブジェクトを用いた印字を形成するようにした。
【０１０７】
これにより、Ｎ個が３以上である等の場合に、隣接する２以上（Ｎ−１）の抜き出し印字区画ＰＥを同時に印字することができる。なお、隣接する抜き出し印字区画ＰＥには余白の存在は不問とすることも可能である。
【０１０８】
したがって、例えば、１２ｍｍのテープ幅を必要とする２つの抜き出し印字区画が余白を介して２つ隣接していた場合、余白がないものとして互いに寄せて、あるいは、可能な限り余白を有するように互いに離して、印字を実行することも可能である。
【０１０９】
同様に、例えば、１２ｍｍのテープ幅を必要とする１つの抜き出し印字区画と、９ｍｍのテープ幅を必要とする１つの抜き出し印字区画と、が３ｍｍの余白を介して２つ隣接していた場合には、テープロールホルダ部３６に装着されたテープロール４０の被印字テープＴのテープ幅が２４ｍｍであれば、そのまま２つの隣接する抜き出し印字区画を同時に印字を実行することも可能である。
【０１１０】
なお、本発明は、上記実施形態に限られるものではなく、その趣旨及び技術的思想を逸脱しない範囲内で種々の変形が可能である。以下、そのような変形例を順を追って説明する。
【０１１１】
＜上貼り用のラベルの適用例（その他）＞
ＣＰＵ３２は、例えば、先に作製したラベルＬのテープ幅と、センサ３５で検出したテープ幅とが同じである場合には、全ての抜き出し印字区画Ｐ１〜ＰＥ３又は抜き出し印字区画ＰＥ４〜ＰＥ６を対象として、変更した印字オブジェクトの部分のみならず、変更していない印字オブジェクトを含めた印字を実行して新たな上貼り用のラベルＬを作製してもよい。
【０１１２】
なお、ＣＰＵ３２は、例えば、幅取得処理において、先に作製したラベルＬのテープ幅よりもセンサ３５で検出したテープ幅の方が大きい（幅が広い）場合には、エラー報知等を行ったうえで、印字は行わない。
【０１１３】
さらに、抜き出し印字区画ＰＥは、それぞれが単独の印字区画としての機能を有している。例えば、抜き出し印字区画ＰＥ１は，テープ幅９ｍｍの被印字テープＴのテンプレートとしての機能を具備することができる。したがって、上記の説明では、複数の抜き出し印字区画ＰＥの一つ以上（Ｎ個以上）を対象として、テープ幅の狭い被印字テープＴの単独の印字区画として印字オブジェクトの印字を可能とした例を示したが、一つのテープ幅用の印字区画を複数の抜き出し印字区画ＰＥの一つとして利用可能とすることができる。
【０１１４】
また、抜き出し印字区画ＰＥは、テープ長さ方向の寸法が短い場合であっても、同一のフォントサイズ並びに文字数の印字オブジェクトに対応可能であれば、ＣＰＵ３２によって代用可能とすることができる。この際、元のテンプレートＰに対する代用の印字区画の配置は、テープ長さ方向にずれていてもよいし、印字開始側の左上ＬＵと左下ＬＬの各ＸＹ座標を一致、或いは、印字終了側の右上ＲＵと右下ＲＬの各ＸＹ座標を一致、させる場合の何れを採用してもよい。
【０１１５】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１１６】
また、図１１に示すフローチャートは本発明を上記フローに示す手順に限定するものではなく、発明の趣旨及び技術的思想を逸脱しない範囲内で手順の追加・削除又は順番の変更等をしてもよい。
【０１１７】
また、以上既に述べた以外にも、上記実施形態や各変形例による手法を適宜組み合わせて利用しても良い。
【０１１８】
その他、一々例示はしないが、本発明は、その趣旨を逸脱しない範囲内において、種々の変更が加えられて実施されるものである。
【符号の説明】
【０１１９】
３                印刷装置
３２              ＣＰＵ（制御手段）
３３              メモリ（記憶手段）
３６              テープロールホルダ部（着脱手段）
３７              搬送装置（搬送手段）
３８              印字ヘッド（印字手段）
４０              テープロール（収納体）
Ｌ                ラベル
Ｐ                テンプレート
ＰＥ              抜き出し印字区画
Ｔ                被印字テープ
【図１】
2019177626.tif 000003
【図２】
2019177626.tif 000004
【図３】
2019177626.tif 000005
【図４】
2019177626.tif 000006
【図５】
2019177626.tif 000007
【図６】
2019177626.tif 000008
【図７】
2019177626.tif 000009
【図８】
2019177626.tif 000010
【図９】
2019177626.tif 000011
【図１０】
2019177626.tif 000012
【図１１】
2019177626.tif 000013